(57)【要約】【課題】テレビ受像機の表示回路を簡易な構成とし、制御用マイコンが制御する手順が複雑となることもないテレビ受像機の表示回路等を提供することである。【解決手段】テレビ受像機の表示回路１５を以下のように構成する。表示回路１５を、映像信号処理回路６とオンスクリーン入力回路７と明るさ調整回路８とオンスクリーン表示信号加算回路１１とを備える構成とする。そして、制御用マイコン１６より出力されるオンスクリーン表示信号が、オンスクリーン入力回路７の第二の入力端子７ｂに入力されるとともに、オンスクリーン表示信号加算回路１１により信号合成端子１９に出力されるようにする。これにより、信号合成端子１９において明るさ調整回路８より出力された信号にオンスクリーン表示信号を重畳させるようにし、この重畳された信号がテレビ受像部１８に入力されるようにする。【選択図】　図１
2004080592.tif 000002
【特許請求の範囲】
【請求項１】
複合カラー映像信号を色信号からなる映像信号に変換する映像信号処理回路と、
前記映像信号処理回路より出力される映像信号が入力される第一の入力端子と制御用マイコンより出力されるオンスクリーン表示信号が入力される第二の入力端子を備え、前記第一の入力端子に入力される映像信号と前記第二の入力端子に入力されるオンスクリーン表示信号とを切り替えて出力するように構成されたオンスクリーン入力回路と、
前記オンスクリーン入力回路より入力される信号の明るさを調整する明るさ調整回路と、
前記制御用マイコンのオンスクリーン表示信号を出力する端子と前記明るさ調整回路の出力側との間に設けられるオンスクリーン表示信号加算回路とを備え、
前記明るさ調整回路より出力される信号に前記オンスクリーン表示信号加算回路より出力されるオンスクリーン表示信号を重畳させてテレビ受像部に出力するように構成されたテレビ受像機の表示回路。
【請求項２】
前記オンスクリーン表示信号加算回路には、該オンスクリーン表示信号加算回路により前記オンスクリーン表示信号を送信する方向を順方向として接続されたダイオードが設けられる請求項１に記載のテレビ受像機の表示回路。
【請求項３】
請求項１又は２に記載の表示回路と、
前記オンスクリーン入力回路の第二の入力端子に入力されるオンスクリーン表示信号を出力する制御用マイコンと、
前記オンスクリーン表示信号加算回路より出力されるオンスクリーン表示信号と前記明るさ調整回路より出力される信号とが重畳されて入力され、該入力された信号に基づき映像及びオンスクリーン表示を出力するテレビ受像部とを備えるテレビ受像機。
【発明の詳細な説明】
【０００１】
【発明の属する技術分野】
本発明は、テレビ画面に映像及びオンスクリーン表示を表示するためのテレビ受像機の表示回路、及び該表示回路を備えるテレビ受像機に関する。
【０００２】
【従来の技術】
オンスクリーン表示機能を備えるテレビ受像機では、映像の表示に加えて、オンスクリーン表示により各種の動作状態や設定状態をテレビ画面に表示させることができる。
【０００３】
このオンスクリーン表示は、文字や記号、絵文字、バーグラフ等による表示であり、映像の表示と異なる。そして、オンスクリーン表示機能を備えるテレビ受像機は、映像信号やオンスクリーン表示信号を処理してテレビ画面に映像やオンスクリーン表示を表示するための表示回路を備えている。
【０００４】
【発明が解決しようとする課題】
前記映像等を表示するための表示回路は、映像等を表示する明るさを調整してテレビ画面に表示するようにされている。しかし、従来の表示回路によると、オンスクリーン表示が暗くなりすぎたりする等、適当な明るさで表示することができない場合があった。
【０００５】
一方、従来の表示回路のうちオンスクリーン表示の明るさを適当な明るさに調整できるものは、例えば映像の明るさ調整とは別にオンスクリーン表示の明るさを調整する回路が設けられており、複雑な構成になっていた。そして、表示回路の構成が複雑であることから、その動作を制御してオンスクリーン表示を適当な明るさとするための制御の手順も複雑になっていた。
【０００６】
そこで、本発明は、テレビ受像機の表示回路を簡易な構成とし、この表示回路を制御する手順が複雑になることのない表示回路等を提供することを目的とする。
【０００７】
【課題を解決するための手段】
上記課題を解決するため、本発明は、複合カラー映像信号を色信号からなる映像信号に変換する映像信号処理回路と、
前記映像信号処理回路より出力される映像信号が入力される第一の入力端子と制御用マイコンより出力されるオンスクリーン表示信号が入力される第二の入力端子を備え、前記第一の入力端子に入力される映像信号と前記第二の入力端子に入力されるオンスクリーン表示信号とを切り替えて出力するように構成されたオンスクリーン入力回路と、
前記オンスクリーン入力回路より入力される信号の明るさを調整する明るさ調整回路と、
前記制御用マイコンのオンスクリーン表示信号を出力する端子と前記明るさ調整回路の出力側との間に設けられるオンスクリーン表示信号加算回路とを備え、前記明るさ調整回路より出力される信号に前記オンスクリーン表示信号加算回路より出力されるオンスクリーン表示信号を重畳させてテレビ受像部に出力するように構成されたテレビ受像機の表示回路である（請求項１）。
【０００８】
本発明の表示回路は、前記オンスクリーン表示信号加算回路を設けることにより、前記明るさ調整回路より出力された信号に前記制御用マイコンより出力されたオンスクリーン表示信号を重畳させて前記テレビ受像部に出力するようにされている。
【０００９】
そして、前記オンスクリーン表示信号加算回路により導かれるオンスクリーン表示信号は前記明るさ調整回路により影響されないので、前記テレビ受像部に入力されるオンスクリーン表示信号の一定のレベルを維持することができる。これにより、オンスクリーン表示を適当な明るさで表示することができる。
【００１０】
そして、本発明の表示回路によると、テレビ受像部の映像等を表示する動作を制御する表示回路として、複雑な回路要素が設けられることなく、簡易な構成とされている。
【００１１】
また、本発明の表示回路によると、簡易に構成されていることにより、前記制御用マイコンが制御するにあたり、制御の手順が複雑になることもない。
【００１２】
また、前記オンスクリーン表示信号加算回路に、この回路により前記オンスクリーン表示信号を送信する方向を順方向として接続されるダイオードを設けることができる（請求項２）。
【００１３】
この発明によると、前記ダイオードにより、前記明るさ調整回路より出力された信号が前記オンスクリーン表示信号加算回路に加えられることによる、オンスクリーン表示信号のレベルを低下させることを防ぐことができる。これにより、テレビ受像部に出力するオンスクリーン表示信号のレベルを低下させることがないので好ましい。
【００１４】
また、以上の表示回路と、前記オンスクリーン入力回路の第二の入力端子に入力されるオンスクリーン表示信号を出力する制御用マイコンと、前記オンスクリーン表示信号加算回路より出力されるオンスクリーン表示信号と前記明るさ調整回路より出力される信号とが重畳されて入力され、該入力された信号に基づき映像及びオンスクリーン表示を出力するテレビ受像部とを備えるテレビ受像機を構成することができる（請求項３）。
【００１５】
この発明のテレビ受像機によると、上記テレビ受像部にオンスクリーン表示を出力するにあたり、制御の手順を複雑とすることなく、適当な明るさで表示することができる。
【００１６】
【発明の実施の形態】
本発明の実施の形態について、図１に基づいて説明する。図１は、本発明の一実施形態であるテレビ受像機の構成の概略を示すブロック図である。図１に示されるテレビ受像機は、アンテナ１とチューナ２と表示回路１５と制御用マイクロコンピュータ（以下、制御用マイコンという）１６と色信号増幅回路１７とテレビ受像部１８を備えている。
【００１７】
アンテナ１はテレビ放送の各チャンネルの放送信号を受信する。アンテナ１により受信された放送信号はチューナ２に入力される。チューナ２では、受信した放送信号より所望のチャンネルの放送信号が選択される。
【００１８】
受信するチャンネルは、このテレビ受像機を使用する視聴者が図示されないチャンネル選択手段を操作することによって選択される。そして、受信するチャンネルが選択されると、そのチャンネルに対する受信周波数がチューナ２に設定される。
【００１９】
表示回路１５は、表示回路モジュール１０とオンスクリーン表示信号加算回路１１を備えている。表示回路モジュール１０は、中間周波数回路３とスイッチ回路４と映像信号処理回路６とオンスクリーン入力回路７と明るさ調整回路８を備えている。また、表示回路モジュール１０は、制御信号入力端子１０ａとオンスクリーン表示信号入力端子１０ｂを備えている。
【００２０】
中間周波数回路３は、入力された信号を中間周波数信号に変換する。中間周波数回路３には、チューナ２により選択された受信信号が入力される。この中間周波数回路３により、受信信号は複合カラー映像信号に復調される。中間周波数回路３で復調された映像信号は、スイッチ回路４に入力される。
【００２１】
スイッチ回路４は、テレビ受像部１８に出力する映像の入力を選択するための回路である。スイッチ回路４は、入力端子４ａ及び４ｂと出力端子４ｃを備えている。スイッチ回路４の入力端子４ａには、中間周波数回路３より出力された映像信号が入力される。スイッチ回路４の入力端子４ｂには、外部入力端子５に入力された映像信号が入力される。
【００２２】
そして、スイッチ回路４の出力端子４ｃに対する接続が入力端子４ａ、４ｂ間で切り替られることにより、テレビ受像部１８に出力される映像がテレビ放送の映像と外部入力端子５より入力される映像とで切り替えられる。
【００２３】
そして、テレビ放送の映像と外部入力端子５より入力される映像のいずれをテレビ受像部１８に出力したいかに応じた視聴者によるテレビ受像機に備わる図示されない切替手段の操作に応じて、出力端子４ｃに接続される入力端子４ａ、４ｂが切り替えられる。
【００２４】
スイッチ回路４より出力された映像信号は、映像信号処理回路６に入力される。映像信号処理回路６は、映像信号を輝度信号Ｙとクロマ信号Ｃとに分離し、クロマ信号Ｃから色差信号Ｒ−Ｙ、Ｂ−Ｙを復調する。そして、この輝度信号Ｙと色差信号Ｒ−Ｙ、Ｂ−Ｙとから色信号Ｒ、Ｇ、Ｂが形成される。
【００２５】
映像信号処理回路６は、制御信号入力端子１０ａより第一の制御信号が入力されると、上記映像信号を処理する動作を行う。第一の制御信号は、制御用マイコン１６の端子１６ａより出力され制御信号入力端子１０ａに入力される。
【００２６】
映像信号処理回路６により上記処理された映像信号は、オンスクリーン入力回路７に入力される。オンスクリーン入力回路７は、映像信号とオンスクリーン表示信号とを切り替えて出力するための回路である。
【００２７】
オンスクリーン入力回路７は、第一の入力端子７ａと第二の入力端子７ｂと出力端子７ｃを備えている。第一の入力端子７ａは、映像信号を入力するための端子である。第二の入力端子７ｂは、オンスクリーン表示信号を入力するための端子である。出力端子７ｃは信号を出力するための端子である。
【００２８】
第二の入力端子７ｂには、オンスクリーン表示信号入力端子１０ｂよりオンスクリーン表示信号が入力される。オンスクリーン表示信号入力端子１０ｂには、制御用マイコン１６の端子１６ｂより出力されたオンスクリーン表示信号が入力される。
【００２９】
そして、オンスクリーン入力回路７の出力端子７ｃに入力端子７ｂが接続されると、テレビ受像部１８にオンスクリーン表示を出力することができる。このテレビ受像機には、視聴者により操作されるオンスクリーン表示を出力するための図示されない操作手段が設けられている。
【００３０】
そして、この操作手段によりオンスクリーン表示を出力するように操作されると、この操作がされたことが制御用マイコン１６により検出される。そして、制御用マイコン１６が図示されない回路を介してオンスクリーン入力回路７を制御し、入力端子７ｂが出力端子７ｃに接続される。
【００３１】
なお、テレビ受像部１８のテレビ画面に映像とオンスクリーン表示をともに表示させる場合には、オンスクリーン入力回路７は出力端子７ｃと入力端子７ａ、７ｂの接続を高速で切り替えるスイッチング動作をするように制御される。
【００３２】
これにより、テレビ受像部１８のテレビ画面に映像とオンスクリーン表示を高速で切り替えて表示することにより、視聴者に映像とオンスクリーン表示の双方を見ていると感じさせるように表示することができる。
【００３３】
オンスクリーン入力回路７を出力された信号は、明るさ調整回路８に入力される。明るさ調整回路８は、入力された信号の輝度成分を調整する。これにより、テレビ受像部１８のテレビ画面に映像やオンスクリーン表示を表示する明るさが調整される。
【００３４】
明るさ調整回路８は、制御用マイコン１６によって制御される。視聴者がテレビ受像部１８の表示の明るさを調節するための図示されない操作手段を操作すると、その操作に応じて制御用マイコン１６が明るさ調整回路８を制御する。
【００３５】
制御用マイコン１６は、第二の制御信号を出力することによって明るさ調整回路８を制御する。この第二の制御信号は、制御用マイコン１６より出力され、制御信号入力端子１０ａより明るさ調整回路８に入力される。
【００３６】
明るさ調整回路８により明るさが調整された信号は、明るさ調整回路８の出力側に設けられる信号合成端子１９に出力される。明るさ調整回路８より信号合成端子１９に出力された信号は、後に説明するオンスクリーン表示信号加算回路１１より出力されるオンスクリーン表示信号と重畳され、後に説明する色信号増幅回路１７に出力される。
【００３７】
オンスクリーン表示信号加算回路１１は、一定のレベルのオンスクリーン表示信号を映像信号から独立してテレビ受像部１８に入力するための回路である。オンスクリーン表示信号加算回路１１は、制御用マイコン１６のオンスクリーン表示信号を出力する端子１６ｂと明るさ調整回路８の出力側との間に設けられる。
【００３８】
図１に示される表示回路１５では、オンスクリーン表示信号加算回路１１は、一方の端部が制御用マイコンの端子１６ｂに接続され、他方の端部が信号合成端子１９に接続されている。
【００３９】
このオンスクリーン表示信号加算回路１１により、制御用マイコン１６の端子１６ｂより出力されたオンスクリーン表示信号を信号合成端子１９に直接に出力することができる。
【００４０】
これにより、明るさ調整回路８に影響されることのない一定レベルのオンスクリーン表示信号を信号合成端子１９に出力することができる。これにより、テレビ受像部１８にオンスクリーン表示を出力するにあたり、明るさ調整回路８に影響されることなく一定のレベルの明るさを与えることができる。
【００４１】
オンスクリーン表示信号加算回路１１には、図１に示されるようにダイオード１２を設けるのが好ましい。ダイオード１２は、オンスクリーン表示信号加算回路１１によりオンスクリーン表示信号を送信する方向、即ち端子１６ｂより信号合成端子１９に向かう方向を順方向として接続されている。
【００４２】
オンスクリーン表示信号加算回路１１にダイオード１２を設けると、明るさ調整回路８を出力された信号が回路１１により制御用マイコン１６の端子１６ｂ側に入力されることを防ぐことができる。これにより、信号合成端子１９に出力されるオンスクリーン表示信号のレベルの低下を防ぐことができ好ましい。
【００４３】
特に、ダイオード１２を設けると、明るさ調整回路８の出力が大きくなる場合であっても、この出力が制御用マイコン１６の端子１６ｂに入力されることを防ぎ、信号合成端子１９に出力されるオンスクリーン表示信号の一定のレベルを維持することができる。
【００４４】
制御用マイコン１６は、以上に説明したように表示回路１５を制御し、またテレビ受像機として動作するように図１に示される各部を制御する。制御用マイコン１６は、ＲＯＭ（読み出し専用メモリ）やＲＡＭ（読み書き可能メモリ）やＣＰＵ（中央処理装置）を備えており、テレビ受像機の動作を制御するための制御プログラムを実行できるようにされている。
【００４５】
信号合成端子１９に出力された信号は色信号増幅回路１７に入力される。色信号増幅回路１７は、テレビ受像部１８の画面に映像やオンスクリーン表示を表示するための要素となる色信号（Ｒ、Ｇ、Ｂ）をテレビ受像部１８に出力する。色信号増幅回路１７は、信号合成端子１９より入力される色信号を適度に増幅してテレビ受像部１８に出力する。
【００４６】
テレビ受像部１８は、そのテレビ画面に映像やオンスクリーン表示を表示する。テレビ受像部１８は、色信号増幅回路１７より入力された色信号に基づいてテレビ画面に映像やオンスクリーン表示を表示する。
【００４７】
テレビ受像部１８として、陰極線管（ＣＲＴ）によるものを用いることができる。また、テレビ受像部１８として、液晶ディスプレイに映像等を表示させるものを用いることもできる。
【００４８】
以上に説明した表示回路１５について、映像信号処理回路６よりオンスクリーン入力回路７の第一の入力端子７ａに映像信号が入力されるにあたり、要素となるＲ（赤）、Ｇ（緑）、Ｂ（青）の各々の信号が供給されるようにされている。
【００４９】
また、制御用マイコン１６の端子１６ｂよりオンスクリーン入力回路７の第二の入力端子７ｂにオンスクリーン表示信号が入力されるにあたり、要素となるＲ、Ｇ、Ｂの各々の信号が供給されるようにされている。
【００５０】
また、オンスクリーン入力回路７より明るさ調整回路８へ信号が入力されるにあたり、要素となるＲ、Ｇ、Ｂの各々の信号が供給されるようにされている。また、信号合成端子１９より色信号増幅回路１７に信号が入力されるにあたり、要素となるＲ、Ｇ、Ｂの各々の信号が供給されるようにされている。
【００５１】
また、オンスクリーン表示信号加算回路１１によりオンスクリーン表示信号を信号合成端子１９に入力するにあたり、要素となるＲ、Ｇ、Ｂの各々の信号が供給されるようにされている。なお、オンスクリーン表示信号加算回路１１にダイオード１２が設けられる場合、前記Ｒ、Ｇ、Ｂの信号に対応して設けられる各々の回路にダイオード１２が設けられる。
【００５２】
以上に説明した表示回路１５を構成する表示回路モジュール１０について、公知の集積回路により構成されるものを用いることができる。即ち、制御用マイコンよりオンスクリーン表示信号を入力することができ、また制御用マイコンより制御信号を入力して制御することができる表示制御用の集積回路であり、テレビ受像部に映像等を表示させることができるものは、マイコンで制御されるテレビ受像機の分野において公知である。本発明を実施するにあたり、かかる公知の表示制御用の集積回路を用いることができる。
【００５３】
以上に説明したテレビ受像機を動作させる例について、以下に説明する。テレビ受像機に対して視聴者が受信したいチャンネルを選択する操作を行うと、選択されたチャンネルの放送信号がチューナ２よりスイッチ回路４を通って映像信号処理回路６に入力される。
【００５４】
そして、映像信号処理回路６により処理された映像信号はオンスクリーン入力回路７を通って明るさ調整回路８に入力される。明るさ調整回路８に入力された映像信号は信号の輝度の成分が調整されて出力される。そして、明るさ調整回路８を出力された映像信号は、信号合成端子１９を通って色信号増幅回路１７に入力される。
【００５５】
そして、色信号増幅回路１７により色信号が増幅された信号がテレビ受像部１８に入力される。これにより、テレビ受像部１８のテレビ画面には、選択されたチャンネルの映像が出力される。
【００５６】
ここで、視聴者がオンスクリーン表示を出力するように操作すると、制御用マイコン１６が、オンスクリーン表示を出力するようにオンスクリーン入力回路７を制御するとともに、オンスクリーン表示信号を出力する。これにより、テレビ受像部１８のテレビ画面には映像とともにオンスクリーン表示が出力される。
【００５７】
そして、テレビ受像部１８に表示される映像が明るすぎる場合、視聴者が明るさを低減するように操作すると、テレビ受像部１８の表示の明るさが低減される。そして、テレビ受像部１８の画面の明るさが低減されても、オンスクリーン表示は、一定の明るさのレベルが維持され、適当な明るさで表示される。
【００５８】
また、テレビ受像部１８のテレビ画面の表示が暗い場合であっても、オンスクリーン表示はある程度の明るさで表示されるので、視聴者にとってオンスクリーン表示が見え難いということがない。
【００５９】
以上に説明したテレビ受像機によると、オンスクリーン表示を視聴者が見やすい適当な明るさで表示することができる。そして、映像とともにオンスクリーン表示を表示するための前記表示回路は、図１に示されるように簡易に構成されている。
【００６０】
そして、以上のテレビ受像機によると、前記表示回路を備えることにより、制御の手順を複雑にすることなく、オンスクリーン表示を適当な明るさで表示することができる。
【００６１】
【発明の効果】
以上説明したように、本発明によると、テレビ受像機に映像及びオンスクリーン表示を表示するための表示回路を簡易な構成とし、かかる表示回路を制御する手順を複雑にすることなく、オンスクリーン表示を適当な明るさで表示することができる。
【図面の簡単な説明】
【図１】本発明の一実施形態であるテレビ受像機の構成の概略を示す図である。
【符号の説明】
１　　アンテナ
２　　チューナ
３　　中間周波数回路
４　　スイッチ回路
５　　外部入力端子
６　　映像信号処理回路
７　　オンスクリーン入力回路
７ａ　第一の入力端子
７ｂ　第二の入力端子
７ｃ　出力端子
８　　明るさ調整回路
９　　混合信号出力端子
１０　　表示回路モジュール
１０ａ　制御信号入力端子
１０ｂ　オンスクリーン表示信号入力端子
１１　　オンスクリーン表示信号加算回路
１２　　ダイオード
１５　　表示回路
１６　　制御用マイコン
１６ａ　制御信号出力端子
１６ｂ　オンスクリーン表示信号出力端子
１７　　色信号増幅回路
１９　　信号合成端子
１８　　テレビ受像部
【図１】
2004080592.tif 000003